(57)【要約】【課題】操作部を前面側へ突出させることなく大型化できるようにする。【解決手段】画像読取装置２０は、スキャナ部５０、及び原稿カバー６０を備える。スキャナ部５０は、上面に原稿台５１を有する。原稿カバー６０は、原稿台５１上に載置された原稿を押えるための原稿押え板６１、並びに原稿押え板６１の上面の少なくとも一部を構成するように原稿押え板６１に固定された操作部７０を含む。原稿カバー６０は、原稿台５１の上面を被覆する原稿押え位置、原稿押え位置から操作部７０が前面Ｆ側へ向く方向へ移動した操作位置、及び原稿押え位置から操作部７０が背面Ｒ側へ向く方向へ移動して原稿台５１の上面を開放する開放位置に移動自在に構成される。【選択図】図１
2013239845.tif 000002
【特許請求の範囲】
【請求項１】
上面に原稿台を有し、前記原稿台上に載置された原稿の画像を読み取るスキャナ部と、
前記原稿台上に載置された原稿を押えるための原稿押え板、並びに前記原稿押え板の上面の少なくとも一部を構成するように前記原稿押え板に固定された操作部であって種々の情報の表示及び動作指示の入力の受け付けを行う操作部を含む原稿カバーと、を備え、
前記原稿カバーは、前記原稿台の上面を被覆する原稿押え位置、前記原稿押え位置から前記操作部が前面側へ向く方向へ移動した操作位置、及び前記原稿押え位置から前記操作部が背面側へ向く方向へ移動して前記原稿台の上面を開放する開放位置に移動自在に構成される、画像読取装置。
【請求項２】
前記原稿カバーは、一対の支持部材を含み、
前記支持部材の第１端部は、前記スキャナ部の上部にそれぞれ軸支され、
前記支持部材の第２端部は、前記原稿カバーの左側端部及び右側端部であって前後方向の中間部を軸支する、請求項１に記載の画像読取装置。
【請求項３】
前記スキャナ部の動作を制御する制御部と前記操作部との間で無線情報通信を行う通信機構部をさらに備える、請求項１又は２に記載の画像読取装置。
【請求項４】
前記操作部は、二次電池を有し、
前記原稿カバーが前記原稿押え位置に配置された状態において前記二次電池を非接触充電する非接触充電機構部をさらに備える、請求項１から３のいずれかに記載の画像読取装置。
【請求項５】
請求項１から４のいずれかに記載の画像読取装置と、
前記画像読取装置の下に配置されて用紙に画像形成処理を行う画像形成部と、を備え、
前記画像形成部は、前記画像読取装置との間に画像形成処理済みの用紙を収容する排紙トレイを設けるための空間を有するように構成される、画像形成装置。
【発明の詳細な説明】
【技術分野】
【０００１】
この発明は、原稿台上に載置された原稿を押えるための原稿押え板及び操作部を備える画像読取装置、及びこれを備える画像形成装置に関する。
【背景技術】
【０００２】
画像読取装置の中には、上面に原稿台を有して原稿台上に載置された原稿の画像を読み取るスキャナ部と、スキャナ部の上面に背面側端部を軸支されて原稿台の上面を開閉自在に構成された原稿押え板と、前面側へ突出するように原稿台の前面側に隣接配置された操作部とを備えたものがある（例えば、特許文献１参照。）。
【０００３】
近年、画像読取装置では、高機能化に伴う設定項目の増加、プレビュー機能の搭載等によって、操作部の大型化が要求されている。
【先行技術文献】
【特許文献】
【０００４】
【特許文献１】特開２００８−１７６１８７号公報
【発明の概要】
【発明が解決しようとする課題】
【０００５】
しかし、従来の画像読取装置では、操作部が大型化されると、操作部の前面側への突出量が大きくなり、画像読取装置の占有スペースが大きくなる。また、操作部は原稿台の前面側に隣接配置されているので、操作部が大型化されるとユーザと原稿台との距離が長くなってしまい、原稿台に対する原稿の載置及び取り出しといった作業性が低下する。
【０００６】
この発明の目的は、操作部を前面側へ突出させることなく大型化できる画像読取装置、及びこれを備える画像形成装置を提供することにある。
【課題を解決するための手段】
【０００７】
この発明の画像読取装置は、スキャナ部、及び原稿カバーを備える。スキャナ部は、上面に原稿台を有し、原稿台上に載置された原稿の画像を読み取る。原稿カバーは、原稿台上に載置された原稿を押えるための原稿押え板、並びに原稿押え板の上面の少なくとも一部を構成するように原稿押え板に固定された操作部であって種々の情報の表示及び動作指示の入力の受け付けを行う操作部を含む。原稿カバーは、原稿台の上面を被覆する原稿押え位置、原稿押え位置から操作部が前面側へ向く方向へ移動した操作位置、及び原稿押え位置から操作部が背面側へ向く方向へ移動して原稿台の上面を開放する開放位置に移動自在に構成される。
【０００８】
この構成では、原稿カバーを操作位置に配置した状態で操作部の表示内容の確認や操作部からの入力操作が行われ、原稿カバーを開放位置に配置した状態で原稿台上に原稿が載置され、原稿カバーを原稿押え位置に配置した状態で画像読取処理が実行される。
【０００９】
操作部が原稿押え板の上面の少なくとも一部を構成するように配置されているので、操作部を原稿押え板の上面の全域にまで大型化した場合でも、操作部が前面側へ突出することがない。このように、操作部を前面側へ突出させることなく大型化できる。また、原稿台の前面側には操作部を設ける必要がないのでユーザと原稿台との距離が短くなり、原稿台に対する原稿の載置及び取り出しといった作業性を向上できる。
【００１０】
また、操作部を操作位置に配置することで操作部が前面側へ向くので、操作部の表示内容の確認や操作部からの入力操作を行う際の操作部に対する操作性を向上できる。さらに、操作部は原稿押え板に固定されているので、操作部が原稿押え板に対して揺動自在に構成された場合と比較して構造が簡易であり、故障の抑制及び製造コストの抑制を図ることができる。
【００１１】
上述の構成において、原稿カバーは、一対の支持部材を含み、支持部材の第１端部は、スキャナ部の上部にそれぞれ軸支され、支持部材の第２端部は、原稿カバーの左側端部及び右側端部であって前後方向の中間部を軸支するように構成することができる。
【００１２】
この構成では、簡易な構造で、原稿カバーを、原稿押え位置、操作位置、及び開放位置へ移動させることができる。このため、故障の抑制及び製造コストの抑制を図ることができる。
【００１３】
また、スキャナ部の動作を制御する制御部と操作部との間で無線情報通信を行う通信機構部をさらに備えるように構成することができる。スキャナ部と原稿カバーとの間に情報通信のためのケーブル配線を行う必要がないので、原稿カバーの操作性を向上できる。
【００１４】
さらに、操作部は、二次電池を有し、原稿カバーが原稿押え位置に配置された状態において二次電池を非接触充電する非接触充電機構部をさらに備えるように構成することができる。装置本体と原稿カバーとの間に給電のためのケーブル配線を行う必要がないので、原稿カバーの操作性を向上できる。
【００１５】
この発明の画像形成装置は、上述のいずれかの構成の画像読取装置と、画像読取装置の下に配置されて用紙に画像形成処理を行う画像形成部とを備え、画像形成部は、画像読取装置との間に画像形成処理済みの用紙を収容する排紙トレイを設けるための空間を有するように構成される。
【００１６】
この構成では、原稿台の前面側には操作部を設ける必要がないので原稿台の前面側部分の前面側への突出量を小さくできる。また、操作部が原稿押え板の上面の少なくとも一部を構成するように配置されているので、操作部を大型化した場合でも、操作部が前面側へ突出することがない。このため、操作部を大型化した場合でも、排紙トレイに対する視認性及び排紙トレイへ排出された用紙の取り出しの作業性を向上できる。
【発明の効果】
【００１７】
この発明によれば、操作部を前面側へ突出させることなく大型化することができる。
【図面の簡単な説明】
【００１８】
【図１】この発明の実施形態に係る画像読取装置を備える画像形成装置の原稿カバーが操作位置に配置された状態の斜視図である。
【図２】原稿カバーが開放位置に配置された状態の画像形成装置の斜視図である。
【図３】原稿カバーが原稿押え位置に配置された状態の画像形成装置の斜視図である。
【図４】画像形成装置の電気的構成を示すブロック図である。
【発明を実施するための形態】
【００１９】
図１に示すように、この発明の実施形態に係る画像読取装置２０を備える画像形成装置１０は、画像読取装置２０の他に、画像形成部３０、及び給紙部４０を備えている。
【００２０】
画像読取装置２０は、画像形成装置１０の上部に配置されている。画像読取装置２０は、スキャナ部５０、及び原稿カバー６０を有している。スキャナ部５０は、上面に原稿台５１を有し、原稿台５１上に載置された原稿の画像を読み取って画像データを生成する画像読取処理を実行する。画像読取装置２０の詳細については後述する。
【００２１】
画像形成部３０は、画像読取装置２０の下に配置され、用紙に対して画像形成処理を実行する。
【００２２】
画像形成部３０は、所謂胴内排出型を呈し、画像読取装置２０との間に画像形成処理済みの用紙を収容する排紙トレイ３１を設けるための空間を有するように構成されている。具体的には、画像形成部３０は、画像読取装置２０を支持するための支持部３２を上部に有し、支持部３２の水平断面積は、画像形成部３０のうち支持部３２以外の部分の水平断面積よりも小さい。このため、支持部３２の側方であって画像読取装置２０と画像形成部３０との間に空間が形成され、この空間に排紙トレイ３１が備えられている。画像形成部３０は、画像形成処理済みを用紙を、排紙トレイ３１へ排出する。
【００２３】
給紙部４０は、画像形成部３０の下に配置され、給紙カセット４１，４２を有する。給紙カセット４１，４２のそれぞれには、用紙が収容される。給紙カセット４１，４２のそれぞれは、前面Ｆ側へ引き出された引き出し位置と内部に収納された収納位置との間で移動自在に構成され、引き出し位置において用紙を補充され、画像形成処理の実行時には収納位置に配置される。
【００２４】
給紙部４０は、給紙カセット４１，４２に収容された用紙を１枚ずつ画像形成部３０へ供給する。
【００２５】
図１〜図３に示すように、画像読取装置２０の原稿カバー６０は、スキャナ部５０の上に配置され、原稿押え板６１、操作部７０、及び一対の支持部材６２，６３を含む。
【００２６】
原稿押え板６１は、原稿台５１上に載置された原稿を押えるためのものであり、下面に白板部材を有している。
【００２７】
操作部７０は、種々の情報の表示及び動作指示の入力の受け付けを行う。操作部７０は、原稿押え板６１の上面の少なくとも一部を構成するように原稿押え板６１に固定されている。この実施形態では、操作部７０は、原稿押え板６１の上面の全域を構成している。このため、操作部７０として大型のものを搭載することができる。
【００２８】
支持部材６２，６３の第１端部は、スキャナ部５０の上部にそれぞれ軸支され、支持部材６２，６３の第２端部は、原稿カバー６０の左側端部及び右側端部であって前後方向の中間部を軸支している。これによって、原稿カバー６０は、図３に示すように原稿台５１の上面を被覆する原稿押え位置、図１に示すように原稿押え位置から操作部７０が前面Ｆ側へ向く方向へ移動した操作位置、及び図２に示すように原稿押え位置から操作部７０が背面Ｒ側へ向く方向へ移動して原稿台５１の上面を開放する開放位置に、移動自在に構成されている。
【００２９】
原稿カバー６０が原稿押え位置に配置されることで、原稿台５１上に載置された原稿が原稿台５１に押え付けられる。一例として、原稿押え位置では、原稿カバーは水平に配置される。
【００３０】
原稿カバー６０は、操作位置として、操作部７０が前面Ｆ側であって斜め上方へ向いた位置、操作部７０が水平面に対して垂直に配置された位置、及び操作部７０が前面Ｆ側であって斜め下方へ向いた位置を含む位置のうちいずれかの位置に配置されるように構成されている。原稿カバー６０は、少なくとも操作位置では所定値以上の力が付加されない限り姿勢を保持するように構成された保持機構を有している。
【００３１】
画像形成装置１０では、原稿カバー６０を操作位置に配置した状態で操作部７０の表示内容の確認や操作部７０からの入力操作が行われ、原稿カバー６０を開放位置に配置した状態で原稿台５１上に原稿が載置され、原稿カバー６０を原稿押え位置に配置した状態で画像読取処理が実行される。
【００３２】
画像形成装置１０では、操作部７０が原稿押え板６１の上面の少なくとも一部を構成するように配置されているので、操作部７０を原稿押え板６１の上面の全域にまで大型化した場合でも、操作部７０が前面Ｆ側へ突出することがない。このように、画像形成装置１０によれば、操作部７０を前面Ｆ側へ突出させることなく大型化することができる。
【００３３】
また、原稿台５１の前面側には操作部を設ける必要がないので、原稿台５１の前面Ｆ側に切り欠き部を設けることができる。このため、ユーザと原稿台５１との距離が短くなり、原稿台５１に対する原稿の載置及び取り出しといった作業性を向上できる。さらに、排紙トレイ３１に対する視認性及び排紙トレイ３１へ排出された用紙の取り出しの作業性を向上できる。また、給紙カセット４１，４２への用紙の補充の作業性を向上できる。
【００３４】
また、操作部７０を操作位置に配置することで操作部７０が前面Ｆ側へ向くので、操作部７０の表示内容の確認や操作部７０からの入力操作を行う際の操作部７０に対する操作性を向上できる。
【００３５】
さらに、操作部７０は原稿押え板６１に固定されているので、操作部７０が原稿押え板６１に対して揺動自在に構成された場合と比較して構造が簡易であり、故障の抑制及び製造コストの抑制を図ることができる。
【００３６】
図４に示すように、画像形成装置１０は、スキャナ部５０、画像形成部３０、及び給紙部４０を含み操作部７０を除く装置本体８０に、主制御部８１、第１通信部８２、整流回路８３、スイッチング回路８４、発振回路８５、及び送電用コイル８６をさらに備えている。
【００３７】
操作部７０は、副制御部７１、表示部７２、入力操作部７３、第２通信部７４、受電用コイル７５、整流平滑回路７６、及び二次電池７７を備えている。表示部７２は、種々の情報を表示する。入力操作部７３は、スキャナ部５０及び画像形成部３０等の各部の動作指示の入力を受け付ける。一例として、表示部７２と入力操作部７３とは、液晶タッチパネルで構成される。
【００３８】
主制御部８１は、画像形成装置１０の各部を統括的に制御している。副制御部７１は、操作部７０を統括的に制御している。第１通信部８２は、操作部７０の第２通信部７４との間で無線情報通信を行う。第１通信部８２と第２通信部７４との間の通信方式として、例えばＢｌｕｅｔｏｏｔｈ（登録商標）が採用される。第１通信部８２及び第２通信部７４は、通信機構部を構成している。操作部７０で動作指示の入力操作が行われると、第２通信部７４及び第１通信部８２を介して主制御部８１に動作指示信号が入力し、主制御部８１は動作指示信号に基づいてスキャナ部５０や画像形成部３０等の各部を動作させる。
【００３９】
画像形成装置１０では、装置本体８０と原稿カバー６０との間に情報通信のためのケーブル配線を行う必要がないので、原稿カバーの操作性を向上できる。
【００４０】
送電用コイル８６は、スキャナ部５０の上面のうち原稿台５１が配置されていない領域の所定箇所に近接するようにスキャナ部５０内に内蔵されている。受電用コイル７５は、原稿カバー６０の下面のうち原稿カバー６０９が原稿押え位置に配置された状態において送電用コイル８６に対向する部分に近接するように原稿カバー６０内に内蔵されている。
【００４１】
整流回路８３は、商用電源２００から供給される交流電圧を直流電圧に整流してスイッチング回路８４へ出力する。スイッチング回路８４は、操作部７０の二次電池７７の充電状態を検出し、二次電池７７が所定の満充電状態でない場合に発振回路８５へ直流電圧を出力し、二次電池７７が所定の満充電状態になると発振回路８５への直流電圧の出力を停止する。
【００４２】
発振回路８５は、スイッチング回路８４から出力された直流電圧を交流電圧に変換し、交流電圧を送電用コイル８５へ出力する。送電用コイル８５は、発振回路８５から出力された交流電圧によって交番磁界を発生する。
【００４３】
原稿カバー６０が原稿押え位置に配置された状態において、送電用コイル８６から発生した交番磁界によって、電磁誘導に基づく交流電圧が受電用コイル７５に誘起する。整流平滑回路７６は、受電用コイル７５に誘起した交流電圧を整流及び平滑化し、二次電池７７を充電する。
【００４４】
整流回路８３、スイッチング回路８４、発振回路８５、送電用コイル８６、受電用コイル７５、及び整流平滑回路７６は、二次電池７７を非接触充電する非接触充電機構部に含まれる。
【００４５】
このように、画像形成装置１０では、原稿カバー６０が原稿押え位置に配置された状態において操作部７０の二次電池７７が非接触充電され、操作部７０は二次電池７７から供給される電力によって動作する。このため、装置本体８０と原稿カバー６０との間に給電のためのケーブル配線を行う必要がないので、原稿カバー６０の操作性を向上できる。
【００４６】
なお、上述の実施形態では、画像読取装置２０を備える画像形成装置１０について説明したが、画像形成装置１０に搭載されていない独立構成された画像読取装置２０にこの発明を適用した場合でも、同様に操作部を前面側へ突出させることなく大型化することができるという効果を奏することができる。
【００４７】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４８】
１０  画像形成装置
２０  画像読取装置
５０  スキャナ部
５１  原稿台
６０  原稿カバー
６１  原稿押え板
６２，６３  支持部材
７０  操作部
７４  第２通信部
７７  二次電池
８０  装置本体
８１  主制御部
８２  第１通信部
【図１】
2013239845.tif 000003
【図２】
2013239845.tif 000004
【図３】
2013239845.tif 000005
【図４】
2013239845.tif 000006